(57)【要約】  生成装置（ＤＧ）は、  −単一空間モードで少なくとも１個の波長を有する一次光子を、高励起エネルギーを有するパルスとして伝送する少なくとも１個のパルスレーザー源（ＳＬ）と、  −入力ビーム（ＦＥ）を伝送すべく一次光子に作用する形成手段（ＭＭ）と、  −励起エネルギーが最初に分配される少なくとも１０個のモードを有し、基本的空間モードにおける一次光子の波長から波長変換により各種波長の二次光子を生成する前に、非線形効果を介して当該エネルギーを基本モードに再配置可能である少なくとも１本の光ファイバ（ＦＯ）を含む。
2019514069.tif 000002
【特許請求の範囲】
【請求項１】
光子の多色ビームを生成する装置（ＤＧ）であって、前記装置（ＤＧ）が単一空間モードで少なくとも１個の波長を有する一次光子を伝送可能な少なくとも１個のパルスレーザー源（ＳＬ）と、入力ビーム（ＦＥ）を伝送すべく前記一次光子に作用可能な形成手段（ＭＭ）と、前記入力ビーム（ＦＥ）から、複数の波長を有する二次光子を含む多色出力ビーム（ＦＳ）を生成すべく構成された少なくとも１本の光ファイバ（ＦＯ）とを含み、前記パルスレーザー源（ＳＬ）が前記一次光子を、高励起エネルギーを有するパルスとして伝送可能であること、および前記光ファイバ（ＦＯ）が、少なくとも１０個のモードを有し、その１個が基本モードと呼ばれ、前記モード間で前記一次光子の前記励起エネルギーが最初に分配され、前記基本モードにおける前記一次光子の前記波長からの波長変換により各種波長の前記二次光子を生成する前に、非線形効果を介して前記エネルギーを前記基本モードに再配置可能であることを特徴とする装置。
【請求項２】
前記一次光子の前記励起エネルギーの前記再配置が、前記光ファイバ（ＦＯ）へのエネルギーの結合の変更、前記光ファイバ（ＦＯ）の芯の屈折率変動分布、および前記入力ビーム（ＦＥ）の偏光を含むグループから選択された少なくとも１個のパラメータにより制御されることを特徴とする、請求項１に記載の装置。
【請求項３】
前記形成手段（ＭＭ）が、前記入力ビーム（ＦＥ）が前記光ファイバ（ＦＯ）の前記芯に発散的に結合されるように前記一次光子に作用すべく構成されていることを特徴とする、請求項２に記載の装置。
【請求項４】
前記形成手段（ＭＭ）が、前記入力ビーム（ＦＥ）が線形または楕円偏光されるように一次光子に作用すべく構成されていることを特徴とする、請求項２または３のいずれか１項に記載の装置。
【請求項５】
前記光ファイバ（ＦＯ）が、放物線分布、ガウス分布、超ガウス分布、三角形分布、ローレンツ分布、マルチローブ分布、二乗双曲線正割分布、および矩形分布を含むグループから選択された屈折率変動分布を有する芯を含んでいることを特徴とする、請求項２〜４のいずれか１項に記載の装置。
【請求項６】
前記波長変換が、自己位相変調による変換、相互位相変調による変換、ラマン効果による変換、およびソリトン効果による変換、パラメータ混合による変換を含むグループから選択されていることを特徴とする、請求項１〜５のいずれか１項に記載の装置。
【請求項７】
前記光ファイバ（ＦＯ）にイオンが添加されていること、および前記二次光子への変換を増大させるべく前記イオンとの相互作用を意図された補助光子を前記光ファイバ（ＦＯ）に注入可能な補助レーザー源（ＳＬＡ）を含んでいることを特徴とする、請求項１〜６のいずれか１項に記載の装置。
【請求項８】
前記光ファイバ（ＦＯ）が、前記一次光子の前記励起エネルギーの前記再配置を改善可能な縦方向の周期的マーキングを有していることを特徴とする、請求項１〜７のいずれか１項に記載の装置。
【請求項９】
前記光ファイバ（ＦＯ）が、断熱テーパー形状を有していることを特徴とする、請求項１〜８のいずれか１項に記載の装置。
【請求項１０】
前記光ファイバ（ＦＯ）が、いわゆる「偏光維持」光ファイバであることを特徴とする、請求項１〜９のいずれか１項に記載の装置。
【請求項１１】
前記光ファイバ（ＦＯ）が、円形配置、矩形配置、および六角形配置を含むグループから選択された横配置を有することを特徴とする、請求項１〜１０のいずれか１項に記載の装置。
【請求項１２】
前記光ファイバ（ＦＯ）に、前記一次光子の前記励起エネルギーの前記再配置を促進すべく機械的ストレスが加えられることを特徴とする、請求項１〜１１のいずれか１項に記載の装置。
【請求項１３】
前記光ファイバ（ＦＯ）が少なくとも２０個のモードを有していることを特徴とする、請求項１〜１２のいずれか１項に記載の装置。
【請求項１４】
複数の光ファイバ（ＦＯ）を含んでいることを特徴とする、請求項１〜１３のいずれか１項に記載の装置。
【請求項１５】
前記パルスレーザー源（ＳＬ）が、数百ナノ秒〜数十ナノ秒の範囲に含まれる持続期間を有するパルスの前記一次光子を伝送可能であることを特徴とする、請求項１〜１４のいずれか１項に記載の装置。
【請求項１６】
ｉ）前記入力ビーム（ＦＥ）を受光可能であって前記光ファイバ（ＦＯ）の進入側が固定された半反射入射鏡（ＭＥ）と、ｉｉ）前記出力ビーム（ＦＳ）を伝送可能な半反射出射鏡（ＭＳ）とを含む共振空洞（ＣＲ）を含んでいることを特徴とする、請求項１〜１５のいずれか１項に記載の装置。
【請求項１７】
非線形効果を介した前記一次光子の励起エネルギーの再配置が、高モード、ＬＰ１１モード以上で実行されることを特徴とする、請求項１〜１６のいずれか１項に記載の装置。
【請求項１８】
請求項１〜１７のいずれか１項に記載の少なくとも１個の生成装置（ＤＧ）を含み、前記試料を分析すべく多色出力ビーム（ＦＳ）を伝送可能であることを特徴とする試料分析システム。
【請求項１９】
多重コヒーレント反ストークスラマン散乱により前記試料の分析を実行可能であることを特徴とする、請求項１８に記載のシステム。
【請求項２０】
線形蛍光および非線形蛍光により前記試料の分析を実行可能であることを特徴とする、請求項１９に記載のシステム。
【発明の詳細な説明】
【技術分野】
【０００１】
本発明は、光子の多色ビームを生成すると共に、そのような装置を用いるシステムの分析を担う装置に関する。
【背景技術】
【０００２】
当業者には公知にように、特定の分野において、典型的には数十ナノメートル〜数百ナノメートルの広いスペクトル幅にあたり実質的に連続して分布する波長を有する光子ビームを伝送するレーザー源が用いられる。これは特に試料（恐らく医学的試料）分析の分野に当てはまる。
【０００３】
連続体と通常呼ばれるこれらの多色レーザー源は一般に、非線形効果を含む光と物質の相互作用の結果生じる。これらは多くの場合、「一次」波長を有する「一次」光子を伝送する少なくとも１個のパルスレーザー源、および多数の「二次」波長（互いに超連続体を形成する）を有する二次光子を含む出力ビームを一次光子から生成するための微細構造の光ファイバを含んでいる。
【０００４】
非線形微細構造光ファイバは一般に二酸化ケイ素から作られ、光と物質の相互作用を増大させ、従って一次波長の多数の二次波長への変換を向上させるべく、光力を閉じ込めることを意図された微細構造を含んでいる。例えば、これらの微細構造は、光ファイバ内の光の伝搬方向と直交し、且つ光に見られる分散関係を変更可能なブラッグ格子を形成していてよい。
【０００５】
この種のレーザー源、すなわち１個以上の微細構造光ファイバを用いるレーザー源により、近紫外（ＵＶ）（約３５０ｎｍ）から中赤外（典型的には５μｍ）までの範囲のスペクトル幅を有する安定した発光が得られる。二酸化ケイ素からなる微細構造光ファイバの性能は例えば約２．４μｍ超の赤外に制限される。
【０００６】
不都合な点として、これらの微細構造光ファイバの芯は小径である。従って、内部に多量のエネルギーが閉じ込められている場合、芯材料が損傷する閾値に極めて急速に到達し、従って、当該光ファイバを用いるレーザー源が高出力エネルギーを伝送できなくなる。更に、これらの微細構造光ファイバが通常の分散領域で励起された場合、誘導ラマン効果を介して変換スペクトルが非連続的に生成され、従って当該ファイバを用いるレーザー源は真の連続体であるとは考えられない。
【０００７】
その結果、当該レーザー源は、放射光のスペクトルの非連続性により、例えば多重コヒーレント反ストークスラマン散乱（ＣＡＲＳ）顕微分光等の特定の用途に用いることができない。多重ＣＡＲＳ顕微分光は特に、試料内または開いた空間における特定の化学種を識別および位置特定すべく撮像および分光の分野で用いられる。
【０００８】
極めて高いエネルギーを有する超連続体の生成が求められる場合、単一モードまたは準単一モードの微細構造光ファイバよりも顕著に大きい芯径を有する光ファイバを用いる必要がある。この目的のため、マルチモード光ファイバを用いる場合がある。
【０００９】
後者の種類の光ファイバは、より高いエネルギーを誘導することができるが、芯幅が大きいため誘導の分散を大幅に変更する能力は有していない。放射出力は複数のモード間で等しく配分されるため、出力放射の明度が大幅に低下する。
【００１０】
超連続体は、特にラマン効果とパラメータ処理との組み合わせより、光ファイバ内で作成することができる。ラマン効果および分散領域に起因して、一次（または励起）波長を上回る波長で超連続体の二次光子が生成されるため、励起波を下回るスペクトル領域での二次波長の生成が困難になる。通常の分散領域に位置する励起波長の場合、超連続体の波長は、ラマン利得の非連続な形状に起因してパケット単位で生成されるため、真のスペクトル連続体の実現が妨げられる。ラマン変換により生じる部分的モーダルフィルタリングにもかかわらず、出力放射は多くのモードでも得られるため、レーザー源の明度および空間コヒーレンス性が低下する。
【発明の概要】
【発明が解決しようとする課題】
【００１１】
本発明の目的は、特に明度およびスペクトル連続性の状況を改善することである。
【課題を解決するための手段】
【００１２】
特に、上述の目的のため、光子の多色ビームを生成することを意図され、単一空間モードで少なくとも１個の波長を有する一次光子を伝送可能な少なくとも１個のパルスレーザー源と、入力ビームを伝送すべく一次光子に作用可能な形成手段と、入力ビームから、複数の波長を有する二次光子を含む多色出力ビームを生成すべく構成された少なくとも１本の光ファイバとを含む装置を提供する。
【００１３】
当該生成装置は、
−自身のパルスレーザー源が一次光子を、高励起エネルギーを有するパルスとして伝送可能であること、および
−各光ファイバが、少なくとも１０個のモードを有し、その１個が基本モードと呼ばれ、当該モード間で一次光子の励起エネルギーが最初に分配され、且つ各光ファイバが、基本モードにおける一次光子の波長からの波長変換により各種波長の二次光子を生成する前に、非線形効果を介して当該励起エネルギーを基本モードに再配置可能であることを特徴とする。
【００１４】
従って、高エネルギーパルスにより励起されたマルチモード光ファイバを用いることにより、有利な特徴として、連続スペクトルを有する、基本モード、且つ可視および赤外領域における極めて空間的にコヒーレントな光子超連続体を得ることが可能である。
【００１５】
本発明による装置は、個別にまたは組み合わせて実装可能な他の特徴を有していてよく、特に
−一次光子の励起エネルギーの再配置は、（少なくとも）光ファイバへのエネルギーの結合の変更、光ファイバの芯の屈折率変動分布、および入力ビームの偏光から選択された少なくとも１個のパラメータにより制御することができ、
・当該装置の形成手段は、入力ビームが光ファイバの芯にある程度発散的に結合されるように一次光子に作用すべく構成されていてよく、
・当該装置の形成手段は、入力ビームが線形または楕円偏光され得るように一次光子に作用すべく構成されていてよく、
・当該装置の／各光ファイバは、（少なくとも）放物線分布、ガウス分布、超ガウス分布、三角形分布、ローレンツ分布、マルチローブ分布、二乗双曲線正割分布、および矩形分布を含むグループから選択された屈折率変動分布を有する芯を含んでいてよく、
−波長変換は、（少なくとも）自己位相変調による変換、相互位相変調による変換、ラマン効果による変換、およびソリトン効果による変換、パラメータ混合による変換から選択されてよく、
−当該装置の／各光ファイバにイオンが添加されていてよい。この場合、当該装置はまた、二次光子への変換を増大させるべくイオンとの相互作用を意図された補助光子を当該／各光ファイバに注入可能な補助レーザー源を含んでいてよく、
−当該装置の／各光ファイバは、一次光子の励起エネルギーの再配置を改善可能な縦方向の周期的マーキングを有していてよく、
−当該装置の／各光ファイバは、断熱テーパー形状を有していてよく、
−当該装置の／各光ファイバは、いわゆる「偏光維持」光ファイバであってよく、
−当該装置の／各光ファイバは、（少なくとも）円形配置、矩形配置、および六角形配置から選択された横配置を有していてよく、
−当該装置の／各光ファイバに、一次光子の励起エネルギーの再配置を促進すべく機械的ストレスが加えられてよく、
−当該装置の／各光ファイバは少なくとも２０個のモードを有していてよく、
−当該装置は、複数（少なくとも２本）の光ファイバを含んでいてよく、
−当該装置のパルスレーザー源は、数十ナノ秒〜数百ナノ秒の範囲に含まれる持続期間を有するパルスの一次光子を伝送可能であってよく、
−当該装置は、一方で入力ビームを受光可能であって当該／各光ファイバの進入側が固定された半反射入射鏡、他方で出力ビームを伝送可能な半反射出射鏡を含む共振空洞を含んでいてよく、
−非線形効果を介した一次光子の励起エネルギーの再配置は有利な特徴として、高モード、すなわちＬＰ１１モード以上で実行されてよい。
【００１６】
本発明はまた、上に示す種類の少なくとも１個の生成装置を含み、試料を分析すべく多色出力ビームを伝送可能な試料分析システムを提供する。
【００１７】
例えば、このようなシステムは、多重コヒーレント反ストークスラマン散乱（すなわちＣＡＲＳ）により試料の分析を実行可能であってよい。
【００１８】
また、例えば、このようなシステムは、線形蛍光および非線形蛍光により試料の分析を実行可能であってよい。
【００１９】
本発明の他の特徴および利点は、以下の詳細な記述および添付図面を精査することにより明らかになろう。
【図面の簡単な説明】
【００２０】
【図１】本発明による生成装置の第１の例示的実施形態を模式的且つ機能的に示す。
【図２】本発明による生成装置の入射ビームの強度（Ｐ、単位：ｄＢ）の変動の一例を波長（λ、単位：ｎｍ）の関数としてグラフにより模式的に示す。
【図３】図２に示す変動のパターンのビームを入力ビームとして有する、本発明による生成装置の出力ビームの強度（Ｐ、単位：ｄＢ）の変動の一例を波長（λ、単位：ｎｍ）の関数としてグラフにより模式的に示す。
【図４】本発明による生成装置の第２の例示的実施形態を模式的且つ機能的に示す。
【図５】本発明による生成装置の第３の例示的実施形態を模式的且つ機能的に示す。
【図６Ａ】光ファイバ芯に対して入力ビームを集光およびデフォーカスさせる例を模式的に示す。
【図６Ｂ】光ファイバ芯に対して入力ビームを集光およびデフォーカスさせる例を模式的に示す。
【図７】入力ビームの２種類のクリーニングの結果を模式的に示す。
【発明を実施するための形態】
【００２１】
本発明の目的は特に、高明度の準単一モード出力ビームＦＳを生成すべく意図され、且つ実質的に連続な（超）連続体を画定する波長を光子が有する装置ＤＧを提供することである。
【００２２】
以下の記述において、生成装置ＤＧは、非限定的な例を通じて、（任意選択的に医療用の）試料を分析するシステムの一部を形成することを意図されているものと考える。しかし、本発明はこの種のシステムに限定されない。具体的には、本発明は、光子の多色ビームを生成可能な少なくとも１個の装置を含むことを要する任意のシステムに関する。
【００２３】
更に、以下の記述において、非限定的な例を通じて、分析システムは、試料の多重コヒーレント反ストークスラマン散乱（ＣＡＲＳ）分析を実行可能であると考える。このような試料は、例えば血液試料であってよい。しかし、本発明はこの種の分析に限定されない。従って、本発明はまた、例えば線形蛍光および非線形蛍光による試料の分析にも関する。
【００２４】
一般に、本発明は多くの分野、特に生体光計測（および特に細胞診断）、干渉断層撮影、フローサイトメトリ、化学元素の遠隔スクリーニング（例：空港警備用）、身体検査（例：医療分野）、爆発物の検出、および細菌の検出に関する。
【００２５】
図１、４、５に、本発明による生成装置ＤＧの３個の非限定的な例示的実施形態を模式的に示す。
【００２６】
図示するように、本発明による（生成）装置ＤＧは、少なくとも１個のパルスレーザー源ＳＬ、形成手段ＭＭ、および少なくとも１個のマルチモード光ファイバＦＯを含んでいる。
【００２７】
パルスレーザー源（または励起レーザー）ＳＬは、以下で「一次」（または励起）波長と呼ばれる少なくとも１個の波長を有する「一次」光子と呼ばれるものを伝送可能である。当該一次（または励起）波長は、用途の要件、従って所望のスペクトル帯域に応じて選択される。従って、当該波長は、赤外（すなわちＩＲ）、可視、または紫外（すなわちＵＶ）領域に属する可能性がある。これらの一次光子はまた、複数の領域、例えば赤外波長およびその第２高調波）に属していてよい。
【００２８】
また、パルスレーザー源ＳＬは、高励起エネルギー（すなわちピーク励起強度）を有するパルスの一次光子を伝送可能である。好適には、当該ピーク強度は３０ｋＷより高く、これは５個のＧＷ／ｃｍ２よりも高い強度に対応している。
【００２９】
例えば、当該パルスレーザー源ＳＬは、１０ｐｓ〜５０ｎｓの範囲のパルスを有する１０６４ｎｍの光子を生成するＮｄ：ＹＡＧレーザーを含んでいてよい。しかし、当該レーザー源はまた、例えば、マイクロレーザーまたはモードロックレーザーあるいは利得変調レーザーを含んでいてもよい。
【００３０】
図１、４、５に非限定的に示す３個の例において、（生成）装置ＤＧは入力ビームＦＥを生成する単一のパルスレーザー源ＳＬだけを含んでいる。しかし、複数（少なくとも２個）のパルスレーザー源を含んでいてもよく、当該パルスレーザー源は互いに異なるが、必ずしもコヒーレントではない。
【００３１】
形成手段ＭＭは、集光またはデフォーカスされ得る入力ビームＦＥを伝送すべく一次光子に作用可能である。例えば、形成手段ＭＭは、入力ビームＦＥが若干発散して光ファイバＦＯの芯に結合するように一次光子に作用すべく構成されていてよい。
【００３２】
好適には、これらの形成手段ＭＭはまた、入力ビームＦＥが選択された偏光（すなわち場の発振方向）を有するように一次光子に作用すべく構成されている。当該偏光は好適には線形である。しかし、円形または楕円形であってもよい。（励起）レーザー源ＳＬが、既に偏光されたビームを伝送する、従って、後続の偏光が、特定の非線形効果を高めるべくレーザー空洞外の半波長プレートまたは四分の一波長プレートにより転回または変更され得る点に注意されたい。従って光ファイバＦＯに関する偏光の方位付け／変更により、最終的なスペクトルを（適度に）変更することができる。入力励起ビームの発散の変更により、比較的多くのモードを励起するように一次光子が結合することができる。
【００３３】
図１、４、５に非限定的に示す３個の例において、形成手段ＭＭは、一次光子の伝搬方向に対してパルスレーザー源ＳＬの下流に、比較的多くのモードを励起すべく、集光またはデフォーカス効果を介して、一次光子を光ファイバＦＯに結合可能な選択された偏光（例：線形偏光）および集光レンズＬＦを一次光子に与え得る波長プレートＬＰを含んでいる。図６Ａ、６Ｂは各々、入力ビームＦＥの光ファイバＦＯの芯に対して集光および分散させる例を示す。波長プレートＬＰが集光レンズＬＦの後ろに配置できる点に注意されたい。
【００３４】
当該／各光ファイバＦＯは極めてマルチモードであって、これは少なくとも１０個のモード、および好適には少なくとも２０個のモードを有し、これらの間で入力ビームＦＥの一次光子の励起エネルギーが最初に分配される。これらのモードの一つが基本モードと呼ばれる点に注意されたい。
【００３５】
図１、４、５に非限定的に示す３個の例において、装置ＤＧが単一の光ファイバＦＯだけを含む点に注意されたい。しかし、複数（少なくとも２個）の光ファイバＦＯを含んでいてもよい。
【００３６】
当該／各光ファイバＦＯは、入力ビームＦＥを受信可能であって、入力ビームＦＥから、複数の波長を有する「二次」光子と呼ばれるものを含む多色出力ビームＦＳを生成すべく構成されている。例えば、非限定的に示すように、光ファイバＦＯの入射端は、入力を介して、入力ビームＦＥを受信する結合手段ＭＣに堅牢に固定されていてよい。これらの結合手段ＭＣは、例えば、入力ビームＦＥを光ファイバＦＯの入射端の芯により正確に再集光（または任意選択的にデフォーカス）する役割を果たすマイクロレンズに基づくカプラの形式をなしていてよい。
【００３７】
当該／各光ファイバＦＯは、例えば、二酸化ケイ素または他の材料、例えばテルル化物、カルコゲニド、またはフッ化ガラスから作られていてよく、任意選択的に不純物が添加されていてよい。当該／各光ファイバＦＯは、例えばＳＦ５０ＯＭ２型または５０／１２５屈折率勾配型であってよい。
【００３８】
当該／各光ファイバＦＯは、各種波長を有する「二次」光子と称する光子を生成する前に、（自身の各種のモード間で分布された）励起エネルギーを、波長変換により、再配置に起因して基本モードにある一次光子の（一次または励起）波長から非線形効果を介して自身の基本モードに再配置する。
【００３９】
一次光子が複数の波長を有する場合、それら全てが基本モードに「再配置」される点に注意されたい。
【００４０】
一次（励起）光子は、自身の最大数のモードを励起すべく光ファイバＦＯに結合される。（一次光子の）励起エネルギーは従って、基本モードを呼ばれる単一モードへの自身の再配置（または自身の転移）を行わせるのに充分高い。これを「空間クリーニング」と称する場合がある。
【００４１】
励起エネルギーの上述の転移（または再配置）は、少なくとも光ファイバＦＯへのエネルギー結合の変更、光ファイバＦＯの芯の屈折率変動分布、および入力ビームＦＥの可能な偏光から選択された少なくとも１個のパラメータを介して制御される。
【００４２】
好適には、上述の３個のパラメータを用いて転移（または再配置）を制御する。この場合、上述のように、入力ビームＦＥが線形偏光されていることが好適である。同様に、この場合、光ファイバＦＯの芯が、少なくとも放物線分布、ガウス分布、超ガウス分布（例：ホールから生じた）、三角形分布、ローレンツ分布、マルチローブ分布、二乗双曲線正割分布、および矩形分布から選択された屈折率変動分布を有していることが好適である。
【００４３】
再配置により実現される空間クリーニングは、光ファイバＦＯの各種モード間でのエネルギー転移の前駆として機能する非線形効果（より正確にはカー効果）の影響により生じる。そこから出力ビームＦＳの明度の大幅な向上が生じる。
【００４４】
次に、基本モードに再配置された一次光子の全エネルギーを用いて、少なくとも１個の非線形効果から生じる波長変換により、赤外または可視領域にスペクトルを拡大する。
【００４５】
好適には、これらの波長変換は、自己位相変調による変換、相互位相変調による変換、ラマン効果による変換、ソリトン効果による変換、およびパラメータ混合による変換の少なくとも１個から選択されている。ラマンカスケードによる変換に関して、励起エネルギーがラマン利得を飽和させることが、通常の分散領域でエネルギーの観点から出力スペクトルを平坦化可能にするため、好適である。
【００４６】
図２に、装置ＤＧの入力ビームＦＥの強度（単位：ｄＢ）の変動の一例を波長λ（ｎｍで）の関数として示す。ここで、レーザー源ＳＬは、（励起）波長が１０６４ｎｍに等しい一次光子を生成する。
【００４７】
図３に、入力ビームＦＥが図２に示す変動パターンを有する場合に装置ＤＧにより出力されたビームＦＳの強度（単位：ｄＢ）の変動の一例を波長λ（ｎｍで）の関数として示す。同図から分かるように、実質的に連続なスペクトルはここで約８００ｎｍにわたり得られ、当該スペクトルはまた、特にエネルギーの観点から約４００ｎｍにわたり平坦である。このようなスペクトルは、多くの用途、特に多重ＣＡＲＳマイクロ分光学に良く適している。
【００４８】
実質的に連続な多色出力ビームＦＳを取得可能にする機構のより詳細な記述を以下に与える。
【００４９】
最初に、一次（励起）光子は、高出力の、（ここでは）長手方向に単色な、マルチモード光ファイバＦＯに結合された空間的に単一モードレーザー波を形成する。光ファイバＦＯの先頭数センチメートルへ伝搬する間、当該レーザー波の空間分布は変更され、各種モード間でのグループ速度の差異の影響下で僅かにマルチモードになる。
【００５０】
これらのモード間の線形結合により、光ファイバＦＯを通る伝搬の全長にわたり周期的画像（ホットスポット）が得られる。この周期性は、相互作用するモードの伝搬定数に依存する。
【００５１】
高出力であるため、当該周期的画像は、（カー効果を介して）光ファイバＦＯの芯の屈折率の周期的な変調を可能にし、次いでモード間で位相整合をもたらす（これがいわゆる４波混合である）。当該位相整合は次いで、各種モードのエネルギーの、最低速度を有するモードすなわち基本モード）への転移を可能にする。
【００５２】
その後、（転移から生じる）高エネルギーに起因して、当該基本モードは、自己位相変調の影響下で他のモードから分離することにより、エネルギー転移の処理を停止して当該単一基本モードのエネルギーを完全に閉じ込める。一次光子のエネルギーは従って基本モードへ再配置される。
【００５３】
本発明の一変型例によれば、非線形効果を介した一次光子の励起エネルギーの再配置を高モード、ＬＰ１１モード、またはおり高いモードで実行されてよい点に注意されたい。図７に、入力ビームの２種類の「クリーニング」、すなわち基本モード（矢印Ａ）のクリーニング、および高次Ｌ１１モード（矢印Ｂ）のクリーニングを示す。
【００５４】
次に、ファイバに存在する波長変換機構（自己位相変調および／または相互位相変調および／またはラマン効果および／またはソリトン効果および／またはパラメータ混合）の影響下で、当該単一直交基本モードの一次光子の波長が同じく当該基本モードの他の波長に変換される。換言すれば、光の超連続体は単一の空間モードで得られる。
【００５５】
レーザー源ＳＬが、一次光子を数百ナノ秒〜数十ナノ秒の範囲に含まれる持続期間を有するパルスとして伝送可能である点に注意されたい。これらの好適なパルス持続期間は、当該伝搬領域が、励起エネルギーが分配される各種モード間での時間的分離の影響が無視できることを保証すべく意図されている（従ってパルスの継続期間はモード間のグループ時間差よりも長くなければならない）。持続期間がより短い場合は分散効果が問題となり、持続期間がより長い場合は高ピーク強度を有するパルスを得ることは困難である。
【００５６】
図４の第２の例に非限定的に示すように、装置ＤＧはまた、当該装置の／各光ファイバＦＯを収容する共振空洞ＣＲを含んでいてよい点に注意されたい。当該共振空洞ＣＲにより、非線形波長変換の増幅をもたらし得る二次光子の振動を可能にする。当該共振空洞ＣＲは好適には長い一次パルスと共に用いられる。このような共振空洞ＣＲは、一方では、入力ビームＦＥを受光可能であって、例えば当該／各光ファイバＦＯの入射が固定されている半反射入射鏡ＭＥ、他方では、例えば光ファイバＦＯの出口が固定されていて、出射ビームＦＳを伝送可能な半反射出射鏡ＭＳを含んでいてよい。
【００５７】
また、当該／各光ファイバＦＯにイオンが添加されていてよい点に注意されたい。この場合、且つ図５の第３の例に非限定的に示すように、装置ＤＧはまた、光ファイバＦＯに、二次光子への変換を増大させるべくイオンとの相互作用を意図された補助光子を注入可能な補助レーザー源ＳＬＡを含んでいてよい。
【００５８】
例えば、当該／各光ファイバＦＯに、希土類イオン、特にネオジムイオン、イッテルビウムイオン、プラセオジミウムイオン、ホルミウムイオン、エルビウムイオン、またはツリウムイオンが添加されていてよい。一例として、補助レーザー源ＳＬＡの発光波長は、イッテルビウム（Ｙｂ）およびエルビウム（Ｅｒ）イオンでは９８０ｎｍに等しくてよく、またはネオジム（Ｎｄ）イオンでは８０８ｎｍに等しくてよい。
【００５９】
一変型として、当該／各光ファイバＦＯには他の種類のイオン、例えばゲルマニウムまたはクロミウムイオンが添加されていてよい。
【００６０】
また、当該／各光ファイバＦＯが、一次光子の励起エネルギーの再配置を改善可能な縦方向の周期的マーキングを有していてよい点に注意されたい。当該マーキングは、２個の単色波長（従って「光学ポーリング」に言及する）を発することにより生成できるが、二酸化ケイ素の芯の屈折率を局所的に変更するＵＶレーザーによる反復的照射により生成されてもよい。
【００６１】
また、当該／各光ファイバＦＯが断熱テーパー形状を有していてよい点に注意されたい。光ファイバＦＯの芯の当該テーパーの目的は、高次モードをフィルタリングすることによりビームのクリーニング度合を向上させることである。
【００６２】
また、当該／各光ファイバＦＯが「偏光維持」光ファイバであってよい点に注意されたい。具体的には、偏光状態の変更は、他の波長への非線形変換の効率を低下させる場合がある。
【００６３】
また、当該／各光ファイバＦＯが、少なくとも円形配置、矩形配置、および六角形配置から選択された横配置を有していてよい点に注意されたい。当該配置により、モードの伝搬定数が変更可能になり、より多くの、または少ない個数の４波モード混合型の非線形効果が生じ得る。
【００６４】
また、当該／各光ファイバＦＯに、一次光子の励起エネルギーの再配置を促進すべく機械的ストレスが加えられてよい点に注意されたい。この目的のため、当該／各光ファイバＦＯは、例えば当該装置の回りに巻かれて内部に機械的ストレスを（受動的または能動的に）生じさせることができ、これらのストレスは、各種モード間の直交性を壊し、従って空間再配置の生起を促進する。例えば、機械心棒の回りに光ファイバＦＯが巻かれていてよい。心棒の直径の変更により光ファイバＦＯが伸長する結果、機械的ストレスが生じる。
【００６５】
また、複数の光ファイバＦＯを１本ずつ用いて、任意選択的に異なる特性を発揮させることが考えられる点に注意されたい。これにより、例えば、スペクトルを段階的に拡張する間に材料の透明度を適合させることができる。一例として、２．４μｍまで伸ばすには二酸化ケイ素製の光ファイバを用い、次いで５μｍを実現するためにフッ化物ガラス製の光ファイバを用いることが可能である。これもまた、材料の非線形性を伝搬の全長にわたり適合させることができる。
【００６６】
本発明は多くの利点を有しており、特に、
−本発明により、実質的に連続な（超）連続体が高スペクトル出力で得られ、
−本発明により、一般に多モード伝搬により劣化する、広帯域放射のコヒーレンスを向上させることができる。
【図１】
2019514069.tif 000003
【図２】
2019514069.tif 000004
【図３】
2019514069.tif 000005
【図４】
2019514069.tif 000006
【図５】
2019514069.tif 000007
【図６Ａ】
2019514069.tif 000008
【図６Ｂ】
2019514069.tif 000009
【図７】
2019514069.tif 000010
【国際調査報告】
2019514069.tif 000011
2019514069.tif 000012
2019514069.tif 000013
2019514069.tif 000014
2019514069.tif 000015
2019514069.tif 000016